(57)【要約】【課題】キャビネット本体の上方の空間が支柱によって狭められることを低減する。【解決手段】キャビネット構成１は、キャビネット本体２０と、キャビネット本体２０の上面２０ｔから上方に向かって延びる一対の支柱３０と、一対の支柱３０の上端部に取り付けられた上部収納部と、を有し、幅方向Ｄｘに互いに当接するように配置された複数のキャビネット１０を備える。支柱３０は、水平面に平行な第一方向Ｄ１の第一外形寸法Ｌ１と、第一方向Ｄ１と交差しかつ水平面に平行な第二方向Ｄ２の第二外形寸法Ｌ２と、を有し、第一外形寸法Ｌ１は、第二外形寸法Ｌ２よりも大きい。幅方向Ｄｘの最も外側に配置された二つの支柱３０は、第一方向Ｄ１が前後方向Ｄｙと平行になる第一状態で配置され、他の支柱３０は、第二方向Ｄ２が前後方向Ｄｙと平行になる第二状態で配置されている。【選択図】図８
2018108273.tif 000002
【特許請求の範囲】
【請求項１】
床面上に配置され、箱状に形成されたキャビネット本体と、前記キャビネット本体の上面から上方に向かって延び、前記キャビネット本体の幅方向に間隔を空けて配置された一対の支柱と、前記一対の支柱の上端部に取り付けられた上部収納部と、を有する複数のキャビネットを備え、
前記支柱は、水平面に平行な第一方向の第一外形寸法と、前記第一方向と交差しかつ前記水平面に平行な第二方向の第二外形寸法と、を有し、
前記第一外形寸法は、前記第二外形寸法よりも大きく、
前記支柱は、前記第一方向が前記水平面内で前記幅方向と直交する前後方向と平行になる第一状態と、前記第二方向が前記前後方向と平行になる第二状態と、で配置可能であり、
前記複数のキャビネットは、前記幅方向に互いに当接するように配置され、
前記複数のキャビネットの前記支柱のうち、前記幅方向の最も外側に配置された二つの前記支柱は、前記第一状態で配置され、前記幅方向の最も外側に配置された二つの前記支柱の間に配置された前記支柱は、前記第二状態で配置されている
キャビネット構成。
【請求項２】
請求項１に記載のキャビネット構成であって、
前記キャビネット本体の前記前後方向を向く面のうち、前面には本体収納部が形成され、前記前面の反対側の背面には前記支柱を固定する取付部が設けられている
キャビネット構成。
【請求項３】
請求項２に記載のキャビネット構成であって、
前記幅方向の最も外側に配置された二つの前記支柱の間を閉塞する閉塞板をさらに備え、
前記幅方向の最も外側に配置された二つの前記支柱の間に配置された前記支柱は、前記閉塞板の背面側に配置されている
キャビネット構成。
【請求項４】
請求項２に記載のキャビネット構成であって、
前記キャビネット本体は、前記幅方向に間隔を空けて前記上面の後端部に配置され、前記上面を上下方向に貫通し、前記第一外形寸法以上の前記幅方向の寸法および前記前後方向の寸法を有する一対の溝部を有し、
前記一対の支柱は、前記一対の溝部をそれぞれ挿通している
キャビネット構成。
【発明の詳細な説明】
【技術分野】
【０００１】
本発明は、キャビネット構成に関する。
【背景技術】
【０００２】
オフィスや公共施設、家庭などの室内空間において、書類や食器などの種々の物品を収納するためのキャビネットが広く使用されている。一般的に、キャビネットには、その上面に天板が設けられており、使用者が天板の上面を作業面として使用することができる。また、キャビネットには、天板の上方に上部収納部（上棚）が設けられている場合がある。このような上棚は、天板上面の左右両側部から立設された一対の支柱の上部に固定されて、支持されている（例えば、特許文献１参照）。
【０００３】
キャビネットが上棚を有することにより、天板の上方の空間を、物品を収納する収納部として活用することができるので、この空間を効率的に使用することができる。また、作業面の上方に収納部が配置されているので、必要なものを適宜取り出しやすくなり、作業効率を向上させることができる。
【先行技術文献】
【特許文献】
【０００４】
【特許文献１】特開２００６−８１９２２号公報
【発明の概要】
【発明が解決しようとする課題】
【０００５】
しかしながら、上述した上棚を有するキャビネットでは、キャビネット本体の上面に支柱を設ける必要があるので、その分だけキャビネット本体の上方の空間が狭くなってしまう。特に、上棚を有するキャビネットを左右に隣接して複数配置したキャビネット構成では、それぞれのキャビネットにおいて、キャビネット本体の上方の空間が狭くなってしまうので、より非効率的な構成になってしまう。
【０００６】
本発明は、上記の事情を鑑みてなされたものであり、上部収納部を有する複数のキャビネットを左右に隣接して配置した場合であっても、キャビネット本体の上方の空間が支柱によって狭められることを低減できるキャビネット構成を提供することを目的とする。
【課題を解決するための手段】
【０００７】
本発明の一態様によれば、キャビネット構成は、床面上に配置され、箱状に形成されたキャビネット本体と、前記キャビネット本体の上面から上方に向かって延び、前記キャビネット本体の幅方向に間隔を空けて配置された一対の支柱と、前記一対の支柱の上端部に取り付けられた上部収納部と、を有する複数のキャビネットを備える。前記支柱は、水平面に平行な第一方向の第一外形寸法と、前記第一方向と交差しかつ前記水平面に平行な第二方向の第二外形寸法と、を有する。前記第一外形寸法は、前記第二外形寸法よりも大きい。前記支柱は、前記第一方向が前記水平面内で前記幅方向と直交する前後方向と平行になる第一状態と、前記第二方向が前記前後方向と平行になる第二状態と、で配置可能である。前記複数のキャビネットは、前記幅方向に互いに当接するように配置されている。前記複数のキャビネットの前記支柱のうち、前記幅方向の最も外側に配置された二つの前記支柱は、前記第一状態で配置され、前記幅方向の最も外側に配置された二つの前記支柱の間に配置された前記支柱は、前記第二状態で配置されている。
【０００８】
このようなキャビネット構成によれば、支柱は、水平面に平行な第一方向の第一外形寸法と、第一方向と交差しかつ水平面に平行な第二方向の第二外形寸法と、を有し、第一方向が前後方向と平行になる第一状態と、第二方向が前後方向と平行になる第二状態と、で配置可能である。第一方向の第一外形寸法は、第二方向の第二外形寸法よりも大きいので、複数のキャビネットの支柱のうち、幅方向の最も外側に配置された二つの支柱を第一状態で配置し、幅方向の最も外側に配置された二つの支柱の間に配置された支柱を第二状態で配置することによって、全ての支柱が第一状態で配置されている場合に比べて、キャビネット本体の上方の空間が支柱によって狭められることを低減することができる。
【０００９】
上記のキャビネット構成において、前記キャビネット本体の前記前後方向を向く面のうち、前面には本体収納部が形成され、前記前面の反対側の背面には前記支柱を固定する取付部が設けられていてもよい。
【００１０】
このようなキャビネット構成によれば、支柱は、キャビネット本体の背面に設けられた取付部に固定されている。このため、支柱において背面に沿って延びる部分に渡って取付部に固定できるので、支柱がキャビネット本体の上面に固定される場合に比べて、上部収納部を安定的かつ確実に支持することができる。
【００１１】
上記のキャビネット構成は、前記幅方向の最も外側に配置された二つの前記支柱の間を閉塞する閉塞板をさらに備えていてもよい。前記幅方向の最も外側に配置された二つの前記支柱の間に配置された前記支柱は、前記閉塞板の背面側に配置されていてもよい。
【００１２】
このようなキャビネット構成によれば、幅方向の最も外側に配置された二つの支柱の間に配置された支柱は、閉塞板の背面側に配置されているので、これらの二つの支柱の間に配置された支柱が外部に露呈することを防止できる。したがって、キャビネット構成としての体裁を良好にすることができる。
【００１３】
上記のキャビネット構成において、前記キャビネット本体は、前記幅方向に間隔を空けて前記上面の後端部に配置され、前記上面を上下方向に貫通し、前記第一外形寸法以上の前記幅方向の寸法および前記前後方向の寸法を有する一対の溝部を有していてもよい。前記一対の支柱は、前記一対の溝部をそれぞれ挿通していてもよい。
【００１４】
このようなキャビネット構成によれば、支柱が挿通されている溝部は、第一外形寸法以上の幅方向の寸法および前後方向の寸法を有しているので、支柱の第一方向が前後方向と平行になるように支柱を配置することができ、また支柱の第一方向が幅方向と平行になる場合であっても支柱の第二方向が前後方向と平行になるように支柱を配置することができる。
【発明の効果】
【００１５】
上記のキャビネット構成によれば、キャビネット本体の上方の空間が支柱によって狭められることを低減することができる。
【図面の簡単な説明】
【００１６】
【図１】本発明の一実施形態に係るキャビネットの正面図である。
【図２】前記キャビネットの側面図である。
【図３】前記キャビネットの背面図である。
【図４】図３のＩＶ−ＩＶ線における断面図である。
【図５】前記キャビネットの分解図である。
【図６】本発明の一実施形態に係るキャビネット構成の正面図である。
【図７】前記キャビネット構成の背面図である。
【図８】図７のＶＩＩＩ−ＶＩＩＩ線における断面図である。
【図９】前記キャビネット構成の分解図である。
【図１０】前記キャビネット構成の変形例の正面図である。
【図１１】図１０のＸＩ−ＸＩ線における断面図である。
【発明を実施するための形態】
【００１７】
以下、本発明の一実施形態について、図面を参照して説明する。
【００１８】
本実施形態に係るキャビネット構成１は、複数のキャビネット１０を備える。以下では、まずキャビネット１０の構成について説明する。
【００１９】
図１は、本実施形態に係るキャビネット１０の正面図である。図２は、キャビネット１０の側面図である。図３は、キャビネット１０の背面図である。図４は、図３のＩＶ−ＩＶ線における断面図である。図５は、キャビネット１０の分解図である。
【００２０】
図１から図５に示すように、キャビネット１０は、キャビネット本体２０と、一対の支柱３０、３０と、上部収納部４０と、を有する。
【００２１】
キャビネット本体２０は、床面Ｆ上に配置され、箱状に形成されている。キャビネット本体２０の上端部には、天板２１が設けられている。天板２１の上面は、キャビネット本体２０の上面２０ｔを構成している。なお、以下の説明では、天板２１の長辺方向を幅方向Ｄｘと称し、天板２１の短辺方向を前後方向Ｄｙと称する。
【００２２】
キャビネット本体２０の前後方向Ｄｙを向く面のうち、前面２０ｆには、本体収納部２２が形成されている。本体収納部２２は、公知の収納棚の構成を有する。このため、使用者は、前面２０ｆ側から書類や食器などの物品を本体収納部２２に収納することができる。また、前面２０ｆの反対側の背面２０ｒには、支柱３０を固定する取付部２４が設けられている。
【００２３】
キャビネット本体２０の下面２０ｕには、キャビネット本体２０の高さおよびレベルの調整を行うアジャスター２３が設けられている。
【００２４】
一対の支柱３０、３０は、キャビネット本体２０の上面２０ｔから上方に向かって延び、幅方向Ｄｘに間隔を空けて配置されている。各支柱３０は、水平面に平行な第一方向Ｄ１の第一外形寸法Ｌ１と、第一方向Ｄ１と交差しかつ水平面に平行な第二方向Ｄ２の第二外形寸法Ｌ２と、を有する。第一外形寸法Ｌ１は、第二外形寸法Ｌ２よりも大きい。
【００２５】
本実施形態では、支柱３０は、長円形の水平断面を有し、キャビネット本体２０の下部から上下方向Ｄｚに沿って上方に延びる棒状に形成されている。長円の長軸方向が第一方向Ｄ１であり、長軸方向の寸法が第一外形寸法Ｌ１である。また、長円の短軸方向が第二方向Ｄ２であり、短軸方向の寸法が第二外形寸法Ｌ２である。よって、本実施形態では、第一方向Ｄ１と第二方向Ｄ２とは、互いに直交している。
【００２６】
一対の支柱３０、３０は、キャビネット本体２０の背面２０ｒ側に配置されている。キャビネット本体２０の底板２５は、その後端部２５ｒが背面２０ｒから前後方向Ｄｙに突出するように設けられている。この突出した底板２５の後端部２５ｒの上面２５ｔ上に、一対の支柱３０、３０の下端部３０ｂ、３０ｂがそれぞれ配置されている。各支柱３０の下端部３０ｂは、キャビネット本体２０の下面２０ｕ側から後端部２１ｒに形成された図示しない貫通孔を介して挿入されるねじ２５ｓによって、底板２５の後端部２５ｒに取り外し可能に固定されている。
【００２７】
また、キャビネット本体２０は、幅方向Ｄｘに間隔を空けて上面２０ｔの後端部に配置され、上面２０ｔを上下方向Ｄｚに貫通する一対の溝部２６、２６を有する。一対の支柱３０、３０は、この一対の溝部２６、２６をそれぞれ挿通している。本実施形態では、天板２１は、その後端部２１ｒが背面２０ｒから前後方向Ｄｙに突出するように設けられている。この突出した天板２１の後端部２１ｒに、後端部２１ｒを上下方向Ｄｚに貫通するように一対の溝部２６、２６がそれぞれ配置されている。各溝部２６は、第一外形寸法Ｌ１以上の幅方向Ｄｘの寸法および前後方向Ｄｙの寸法を有する。このため、後述するように、支柱３０の水平面内での向きを変えて支柱３０を配置することができる。また、溝部２６は、前後方向Ｄｙに沿って後方に開口している。これによって、容易に支柱３０を溝部２６内に配置することができる。
【００２８】
溝部２６、２６内に配置された支柱３０は、取付金具２７を介して天板２１の後端部２１ｒに固定されている。取付金具２７は、板部材をＬ字状に折り曲げて形成されている。取付金具２７は、幅方向Ｄｘに延びる第一部分２７ａと、第一部分２７ａと直交し、上下方向Ｄｚに延びる第二部分２７ｂと、を有する。第一部分２７ａは、一対の支柱３０の間において天板２１の後端部２１ｒの下面２１ｕに当接し、ねじ２７ｓによって後端部２１ｒに取り外し可能に固定されている。第二部分２７ｂは、天板２１の下方において支柱３０の外周面に当接し、ねじ２７ｓによって支柱３０に取り外し可能に固定されている。これにより、支柱３０は、天板２１の後端部２１ｒに取り外し可能に固定されている。
【００２９】
上述した底板２５の後端部２５ｒ、ねじ２５ｓ、天板２１の後端部２１ｒ、取付金具２７、およびねじ２７ｓによって、支柱３０を固定する取付部２４が構成されている。
【００３０】
また、支柱３０は、第一方向Ｄ１が前後方向Ｄｙと平行になる第一状態と、第二方向Ｄ２が前後方向Ｄｙと平行になる第二状態と、で配置可能である。図１から図４では、支柱３０は、第一状態で配置されている。上述したように、溝部２６は、支柱３０の第一方向Ｄ１の第一外形寸法Ｌ１以上の幅方向Ｄｘの寸法および前後方向Ｄｙの寸法を有するので、第一方向Ｄ１が前後方向Ｄｙと平行になるように支柱３０を溝部２６内に配置することができる。また、支柱３０の第二方向Ｄ２の第二外形寸法Ｌ２は第一外形寸法Ｌ１よりも小さいので、第二方向Ｄ２が前後方向Ｄｙと平行になるように支柱３０を溝部２６内に配置することができる。このとき、第一方向Ｄ１は幅方向Ｄｘと平行になるが、溝部２６の幅方向Ｄｘの寸法は支柱３０の第一方向Ｄ１の第一外形寸法Ｌ１以上であるので、支柱３０は、第二状態で溝部２６内に配置することができる。
【００３１】
支柱３０が第二状態で配置された場合でも、上述した支柱３０が第一状態で配置された場合と同様に、取付部２４によって支柱３０をキャビネット本体２０に固定することができる。例えば、底板２５の後端部２５ｒにおいては、支柱３０が第二状態で配置された場合に対応して、ねじ２５ｓを挿入するための図示しない貫通孔が形成されている。これらの貫通孔を挿通したねじ２５ｓによって、支柱３０の下端部３０ｂを底板２５の後端部２５ｒに取り外し可能に固定することができる。また、天板２１の後端部２１ｒにおいては、支柱３０が第二状態で配置された場合に対応して、取付金具２７の位置を幅方向Ｄｘの内側に移動させることで、取付金具２７を介して支柱３０を天板２１の後端部２１ｒに取り外し可能に固定することができる。
【００３２】
上述のように、水平面内で溝部２６は支柱３０よりも大きい寸法を有するので、天板２１と支柱３０との間に隙間が形成されている。この隙間を塞ぐため、溝部２６において天板２１と支柱３０との間に嵌合する間詰部材２８が配置されている。間詰部材２８は、天板２１と支柱３０との間に隙間の形状に合わせて形成されている。
【００３３】
上部収納部４０は、一対の支柱３０、３０の上端部３０ｔ、３０ｔに取り付けられている。本実施形態では、上部収納部４０は、箱状に形成されている。上部収納部４０は、公知の収納棚の構成を有する。使用者は、上部収納部４０の前面４０ｆ側から書類や食器などの物品を上部収納部４０に収納することができる。
【００３４】
上部収納部４０の背面４０ｒから下面４０ｕにかけて、上部収納部４０と支柱３０とを固定するための取付金具４１が設けられている。取付金具４１は、板部材をＬ字状に折り曲げて形成されている。取付金具４１は、上下方向Ｄｚに延びる第一部分４１ａと、第一部分４１ａと直交し、前後方向Ｄｙに延びる第二部分４１ｂと、を有する。第一部分４１ａは、上部収納部４０の背面４０ｒに当接し、図示しないねじによって上部収納部４０に固定されている。第二部分４１ｂは、上部収納部４０の下面４０ｕに当接し、図示しないねじによって上部収納部４０に固定されているとともに、ねじ４２によって支柱３０の上端部３０ｔに取り外し可能に固定されている。これにより、上部収納部４０は、支柱３０の上端部３０ｔに取り外し可能に固定されている。
【００３５】
上部収納部４０には、上部収納部４０が前方に倒れ込む方向に力が掛かりやすいので、キャビネット１０では、支柱３０が上部収納部４０を前後方向Ｄｙに支持する長さが長くなるように、支柱３０は第一状態で配置されている。これにより、一対の支柱３０、３０によって上部収納部４０をより確実に安定して支持することができる。
【００３６】
また、本実施形態では、キャビネット１０は、一対の支柱３０、３０の間を閉塞する閉塞板５０をさらに備える。閉塞板５０は、幅方向Ｄｘおよび上下方向Ｄｚに延びる矩形状の平板である。閉塞板５０は、キャビネット本体２０の上面２０ｔから上部収納部４０の下面４０ｕまでの間を閉塞するように配置されている。
【００３７】
閉塞板５０の幅方向Ｄｘの両端部には、閉塞板５０を挟むように保持する一対の保持部材５１、５１が設けられている。保持部材５１は、図示しないねじによって支柱３０に取り付けることができる。閉塞板５０は、一対の保持部材５１、５１を介して一対の支柱３０、３０に取り付けられている。
【００３８】
次に、本実施形態に係るキャビネット構成１について、図６から図９を参照して説明する。
【００３９】
図６は、キャビネット構成１の正面図である。図７は、キャビネット構成１の背面図である。図８は、図７のＶＩＩＩ−ＶＩＩＩ線における断面図である。図９は、キャビネット構成１の分解図である。
【００４０】
キャビネット構成１は、複数のキャビネット１０を備える。複数のキャビネット１０は、幅方向Ｄｘに互いに当接するように配置されている。複数のキャビネット１０の支柱３０のうち、幅方向Ｄｘの最も外側に配置された二つの支柱３０は、第一状態で配置され、幅方向Ｄｘの最も外側に配置された二つの支柱３０の間に配置された支柱３０は、第二状態で配置されている。
【００４１】
図６から図９では、キャビネット構成１が二つのキャビネット１０を備える場合を示している。図６から図９に示すように、キャビネット構成１において、幅方向Ｄｘの最も外側に配置された二つの支柱３０Ａ、３０Ｄは、上述した第一状態で配置されている。二つの支柱３０Ａ、３０Ｄの間に配置された支柱３０Ｂ、３０Ｃは、上述した第二状態で配置されている。これら四つの支柱３０Ａ、３０Ｂ、３０Ｃ、３０Ｄによって、上部収納部４３を支持している。なお、本実施形態では、上部収納部４３は、二つのキャビネット１０に対応する幅方向Ｄｘの寸法を有するように構成されているが、キャビネット１０の上部収納部４０をそのまま二つ並べた構成としてもよい。
【００４２】
本実施形態では、キャビネット構成１は、閉塞板５０に代えて、幅方向Ｄｘの最も外側に配置された二つの支柱３０Ａ、３０Ｂの間を閉塞する閉塞板５２をさらに備える。閉塞板５２は、幅方向Ｄｘおよび上下方向Ｄｚに延びる矩形状の平板である。閉塞板５２は、各キャビネット本体２０の上面２０ｔから上部収納部４３の下面４３ｕまでの間を閉塞するように配置されている。閉塞板５２の幅方向Ｄｘの両端部には、上述した一対の保持部材５１、５１が設けられている。閉塞板５２は、一対の保持部材５１、５１を介して一対の支柱３０Ａ、３０Ｄに取り付けられている。
【００４３】
また、幅方向Ｄｘの最も外側に配置された二つの支柱３０Ａ、３０Ｂの間に配置された支柱３０Ｂ、３０Ｃは、閉塞板５２の背面５２ｒ側に配置されている。支柱３０Ｂ、３０Ｃは第二状態で配置されているので、前後方向Ｄｙの寸法は第一外形寸法Ｌ１よりも小さい第二外形寸法Ｌ２である。このため、前後方向Ｄｙの寸法が第一外形寸法Ｌ１となる第一状態で配置された支柱３０Ａ、３０Ｄに取り付けられた閉塞板５２の背面５２ｒの後方に、支柱３０Ｂ、３０Ｃを配置することができる。
【００４４】
本実施形態に係るキャビネット構成１は、床面Ｆ上に配置され、箱状に形成されたキャビネット本体２０と、キャビネット本体２０の上面２０ｔから上方に向かって延び、キャビネット本体２０の幅方向Ｄｘに間隔を空けて配置された一対の支柱３０、３０と、一対の支柱３０、３０の上端部３０ｔ、３０ｔに取り付けられた上部収納部４０と、を有する複数のキャビネット１０を備える。支柱３０は、水平面に平行な第一方向Ｄ１の第一外形寸法Ｌ１と、第一方向Ｄ１と交差しかつ水平面に平行な第二方向Ｄ２の第二外形寸法Ｌ２と、を有する。第一外形寸法Ｌ１は、第二外形寸法Ｌ２よりも大きい。支柱３０は、第一方向Ｄ１が水平面内で幅方向Ｄｘと直交する前後方向Ｄｙと平行になる第一状態と、第二方向Ｄ２が前後方向Ｄｙと平行になる第二状態と、で配置可能である。複数のキャビネット１０は、幅方向Ｄｘに互いに当接するように配置されている。複数のキャビネット１０の支柱３０のうち、幅方向Ｄｘの最も外側に配置された二つの支柱３０Ａ、３０Ｄは、第一状態で配置され、幅方向Ｄｘの最も外側に配置された二つの支柱３０Ａ、３０Ｄの間に配置された支柱３０Ｂ、３０Ｃは、第二状態で配置されている。
【００４５】
上述した構成によれば、支柱３０は、水平面に平行な第一方向Ｄ１の第一外形寸法Ｌ１と、第一方向Ｄ１と交差しかつ水平面に平行な第二方向Ｄ２の第二外形寸法Ｌ２と、を有し、第一方向Ｄ１が前後方向Ｄｙと平行になる第一状態と、第二方向Ｄ２が前後方向Ｄｙと平行になる第二状態と、で配置可能である。第一方向Ｄ１の第一外形寸法Ｌ１は、第二方向Ｄ２の第二外形寸法Ｌ２よりも大きいので、複数のキャビネット１０の支柱３０のうち、幅方向Ｄｘの最も外側に配置された二つの支柱３０Ａ、３０Ｄを第一状態で配置し、幅方向Ｄｘの最も外側に配置された二つの支柱３０Ａ、３０Ｄの間に配置された支柱３０Ｂ、３０Ｃを第二状態で配置することによって、全ての支柱３０が第一状態で配置されている場合に比べて、第一外形寸法Ｌ１と第二外形寸法Ｌ２との差に対応する分だけ、キャビネット本体２０の上方の空間が支柱３０によって狭められることを低減することができる。これによって、キャビネット構成１の使い勝手を良好にすることができる。また、幅方向Ｄｘの最も外側に配置された二つの支柱３０Ａ、３０Ｄは第一状態で配置されているので、全ての支柱３０が第二状態で配置されている場合に比べて、前後方向Ｄｙに倒れ込むような力が掛かりやすい上部収納部４０をより確実に安定して支持することができる。
【００４６】
また、キャビネット本体２０の前後方向Ｄｙを向く面のうち、前面２０ｆには本体収納部２２が形成され、前面２０ｆの反対側の背面２０ｒには支柱３０を固定する取付部２４が設けられている。
【００４７】
上述した構成によれば、支柱３０は、キャビネット本体２０の背面２０ｒに設けられた取付部２４に固定されている。このため、支柱３０において背面２０ｒに沿って延びる部分に渡って取付部２４に固定できるので、支柱３０がキャビネット本体２０の上面２０ｔに固定される場合に比べて、上部収納部４０を安定的かつ確実に支持することができる。
【００４８】
また、キャビネット構成１は、幅方向Ｄｘの最も外側に配置された二つの支柱３０Ａ、３０Ｄの間を閉塞する閉塞板５２をさらに備える。幅方向Ｄｘの最も外側に配置された二つの支柱３０Ａ、３０Ｄの間に配置された支柱３０Ｂ、３０Ｃは、閉塞板５２の背面５２ｒ側に配置されている。
【００４９】
上述した構成によれば、幅方向Ｄｘの最も外側に配置された二つの支柱３０Ａ、３０Ｄの間に配置された支柱３０Ｂ、３０Ｃは、閉塞板５２の背面５２ｒ側に配置されているので、これらの二つの支柱３０Ａ、３０Ｄの間に配置された支柱３０Ｂ、３０Ｃが外部に露呈することを防止できる。したがって、キャビネット構成１としての体裁を良好にすることができる。
【００５０】
また、キャビネット本体２０は、幅方向Ｄｘに間隔を空けて上面２０ｔの後端部に配置され、上面２０ｔを上下方向Ｄｚに貫通し、第一外形寸法Ｌ１以上の幅方向Ｄｘの寸法および前後方向Ｄｙの寸法を有する一対の溝部２６、２６を有する。一対の支柱３０、３０は、一対の溝部２６、２６をそれぞれ挿通している。
【００５１】
上述した構成によれば、支柱３０が挿通されている溝部２６は、第一外形寸法Ｌ１以上の幅方向Ｄｘの寸法および前後方向Ｄｙの寸法を有しているので、支柱３０の第一方向Ｄ１が前後方向Ｄｙと平行になるように支柱３０を配置することができ、また支柱３０の第一方向Ｄ１が幅方向Ｄｘと平行になる場合であっても支柱３０の第二方向Ｄ２が前後方向Ｄｙと平行になるように支柱３０を配置することができる。
【００５２】
なお、本実施形態において、支柱３０は長円形の水平断面を有していたが、これに限らない。例えば、支柱３０は、三角形や四角形などの多角形に形成された水平断面を有していてもよい。支柱３０は、水平面に平行な第一方向の第一外形寸法と、第一方向と交差しかつ水平面に平行な第二方向の第二外形寸法と、を有する断面形状であれば、特に限定されない。
【００５３】
また、支柱３０は、キャビネット本体２０の背面２０ｒに設けられた取付部２４に固定されていたが、これに限らない。例えば、支柱３０は、キャビネット本体２０の上面２０ｔにねじなどで直接固定されていてもよい。また、支柱３０は、キャビネット本体２０の上面２０ｔにおいて前後方向Ｄｙの中央付近に配置されていてもよい。
【００５４】
（変形例）
本実施形態において、キャビネット構成１は、二つのキャビネット１０を備えていたが、キャビネット１０の数は特に限定されない。キャビネット構成１の変形例として、図１０および図１１にキャビネット構成２を示す。図１０は、キャビネット構成２の正面図である。図１１は、図１０のＸＩ−ＸＩ線における断面図である。
【００５５】
キャビネット構成２は、三つのキャビネット１０を備える。キャビネット構成２において、幅方向Ｄｘの最も外側に配置された二つの支柱３０Ｅ、３０Ｊは、上述した第一状態で配置されている。二つの支柱３０Ｅ、３０Ｊの間に配置された支柱３０Ｆ、３０Ｇ、３０Ｈ、３０Ｉは、上述した第二状態で配置されている。これら六つの支柱３０Ｅ、３０Ｆ、３０Ｇ、３０Ｈ、３０Ｉ、３０Ｊによって、上部収納部４４を支持している。
【００５６】
また、キャビネット構成２は、幅方向Ｄｘの最も外側に配置された二つの支柱３０Ｅ、３０Ｊの間を閉塞する閉塞板５３をさらに備える。閉塞板５３は、幅方向Ｄｘおよび上下方向Ｄｚに延びる矩形状の平板である。閉塞板５３は、各キャビネット本体２０の上面２０ｔから上部収納部４３の下面４３ｕまでの間を閉塞するように配置されている。閉塞板５３の幅方向Ｄｘの両端部には、上述した一対の保持部材５１、５１が設けられている。閉塞板５３は、一対の保持部材５１、５１を介して一対の支柱３０Ｅ、３０Ｊに取り付けられている。また、幅方向Ｄｘの最も外側に配置された二つの支柱３０Ｅ、３０Ｊの間に配置された支柱３０Ｆ、３０Ｇ、３０Ｈ、３０Ｉは、閉塞板５３の背面５３ｒ側に配置されている。
【００５７】
このように構成されたキャビネット構成２においても、上述したキャビネット構成１と同様の効果を得ることができる。
【００５８】
以上、本発明の好ましい実施形態を説明したが、本発明はこれら実施形態に限定されることはない。本発明の趣旨を逸脱しない範囲で、構成の付加、省略、置換、およびその他の変更が可能である。
【符号の説明】
【００５９】
１、２  キャビネット構成
１０  キャビネット
２０  キャビネット本体
２０ｆ  前面
２０ｒ  背面
２０ｔ  上面
２２  本体収納部
２４  取付部
２６  溝部
３０、３０Ａ、３０Ｂ、３０Ｃ、３０Ｄ、３０Ｅ、３０Ｆ、３０Ｇ、３０Ｈ、３０Ｉ  支柱
３０ｔ  上端部
４０、４３、４４  上部収納部
５２、５３  閉塞板
５２ｒ、５３ｒ  背面
Ｄ１  第一方向
Ｄ２  第二方向
Ｄｘ  幅方向
Ｄｙ  前後方向
Ｄｚ  上下方向
Ｌ１  第一外形寸法
Ｌ２  第二外形寸法
【図１】
2018108273.tif 000003
【図２】
2018108273.tif 000004
【図３】
2018108273.tif 000005
【図４】
2018108273.tif 000006
【図５】
2018108273.tif 000007
【図６】
2018108273.tif 000008
【図７】
2018108273.tif 000009
【図８】
2018108273.tif 000010
【図９】
2018108273.tif 000011
【図１０】
2018108273.tif 000012
【図１１】
2018108273.tif 000013